(57)【要約】  本願は、接眼レンズ及び接眼レンズを含むディスプレイを提供する。当該接眼レンズは、対向する第一の表面及と第二の表面を有するレンズを含み、第一の表面は、人の眼の側に対応する表面であり、第二の表面は、表示素子の側に対応する表面である。また、第一の表面は、フレネル構造の面であり、第二の表面は、非球面曲面であり、フレネル構造の面は、順に配列する複数の輪帯を含むことにより、鋸歯の表面を形成する。なお、レンズの有効焦点距離は、３５ｍｍ＜ＥＦＬ＜４５ｍｍを満たす。
2019526819.tif 000002
【特許請求の範囲】
【請求項１】
人の眼の側に対応する第一の表面と、前記第一の表面に対向する第二の表面とを有するレンズを含む、接眼レンズであって、
前記第一の表面は、フレネル構造の面であり、前記第二の表面は、非球面曲面であり、
前記フレネル構造の面は、順に配列される複数の輪帯を含むことにより、鋸歯の表面を形成し、
当該レンズの有効焦点距離ＥＦＬは、３５ｍｍ＜ＥＦＬ＜４５ｍｍを満たすことを特徴とする接眼レンズ。
【請求項２】
前記複数の輪帯のそれぞれは、何れも動作面及び非動作面からなることを特徴とする請求項１に記載の接眼レンズ。
【請求項３】
前記レンズの第一の表面のフレネル構造の面において、近軸から縁に向かうｉ番目の輪帯の幅Ｚｉは、０．０８ｍｍ≦ｚｉ≦３．５ｍｍを満たすことを特徴とする請求項１に記載の接眼レンズ。
【請求項４】
前記ｉ番目の輪帯の深さｄｉは、０ｍｍ＜ｄｉ≦０．５ｍｍを満たすことを特徴とする請求項３に記載の接眼レンズ。
【請求項５】
−０．２８≦ＳＡＧ１／ＤＹ≦０を満たし、
ここで、ＳＡＧ１は、人の眼から画面の中心までの光軸方向をプラスと定義する場合、第一の表面と光軸との交点と、第一の表面の有効半径のエンド（ｅｎｄ）との間の、光軸における距離を示し、ＤＹは、前記レンズの有効径を示すことを特徴とする請求項１ないし請求項４の何れか一項に記載の接眼レンズ。
【請求項６】
−０．４≦ＳＡＧ２／ＤＹ≦−０．２を満たし、
ここで、ＳＡＧ２は、人の眼から画面の中心までの光軸方向をプラスと定義する場合、前記第二の表面と光軸との交点と、前記第二の表面の有効半径のエンドとの間の、前記光軸における距離を示し、ＤＹは、前記レンズの有効径を示すことを特徴とする請求項１ないし請求項４の何れか一項に記載の接眼レンズ。
【請求項７】
レンズの中心厚さＣＴと有効径ＤＹは、０．０８＜ＣＴ／ＤＹ＜０．４を満たすことを特徴とする請求項１に記載の接眼レンズ。
【請求項８】
前記レンズの第一の表面のフレネル構造の面における複数の輪帯は、１つの基底面に配列しており、当該基底面は、凹面であることを特徴とする請求項１ないし請求項４の何れか一項に記載の接眼レンズ。
【請求項９】
前記基底面の曲率半径Ｒ１と前記レンズの有効焦点距離ＥＦＬは、−２．９＜Ｒ１／ＥＦＬ＜−０．４を満たすことを特徴とする請求項８に記載の接眼レンズ。
【請求項１０】
人の眼の側に対応する第一の表面と、前記第一の表面に対向する第二の表面とを有するレンズを含む、接眼レンズであって、
前記第一の表面は、フレネル構造の面であり、
前記フレネル構造の面は、順に配列される複数の輪帯を含むことにより、鋸歯の表面を形成し、前記複数の輪帯のそれぞれは、何れも動作面及び非動作面からなり、
前記レンズの中心の厚さＣＴと前記レンズの有効径ＤＹは、０．０８＜ＣＴ／ＤＹ＜０．４を満たすことを特徴とする接眼レンズ。
【請求項１１】
前記フレネル構造の面における複数の輪帯は、１つの基底面に配列しており、当該基底面は、凹面であることを特徴とする請求項１０に記載の接眼レンズ。
【請求項１２】
前記基底面の曲率半径Ｒ１と前記レンズの有効焦点距離ＥＦＬは、−２．９＜Ｒ１／ＥＦＬ＜−０．４を満たすことを特徴とする請求項１１に記載の接眼レンズ。
【請求項１３】
前記第二の表面は、非球面曲面であることを特徴とする請求項１０に記載の接眼レンズ。
【請求項１４】
前記レンズの第一の表面のフレネル構造の面において、近軸から縁に向かうｉ番目の輪帯の幅Ｚｉは、０．０８ｍｍ≦ｚｉ≦３．５ｍｍを満たすことを特徴とする請求項１０に記載の接眼レンズ。
【請求項１５】
前記ｉ番目の輪帯の深さｄｉは、０ｍｍ＜ｄｉ≦０．５ｍｍを満たすことを特徴とする請求項１４に記載の接眼レンズ。
【請求項１６】
−０．２８≦ＳＡＧ１／ＤＹ≦０を満たし、
ここで、ＳＡＧ１は、人の眼から画面の中心までの光軸方向をプラスと定義する場合、第一の表面と光軸との交点と、第一の表面の有効半径のエンドとの間の、光軸における距離を示し、ＤＹは、前記レンズの有効径を示すことを特徴とする請求項１０ないし請求項１５の何れか一項に記載の接眼レンズ。
【請求項１７】
−０．４≦ＳＡＧ２／ＤＹ≦−０．２を満たし、
ここで、ＳＡＧ２は、人の眼から画面の中心までの光軸方向をプラスと定義する場合、前記第二の表面と光軸の交点と、前記第二の表面の有効半径のエンドとの間の、前記光軸における距離を示し、ＤＹは、前記レンズの有効径を示すことを特徴とする請求項１０ないし請求項１５の何れか一項に記載の接眼レンズ。
【請求項１８】
請求項１ないし請求項９の何れか一項に記載の接眼レンズ又は請求項１０ないし請求項１７の何れか一項に記載の接眼レンズを含むことを特徴とするディスプレイ。
【請求項１９】
前記ディスプレイは、仮想現実ヘッドマウントディスプレイであることを特徴とする請求項１８に記載のディスプレイ。
【発明の詳細な説明】
【技術分野】
【０００１】
（関連出願の相互参照）
本願は、２０１７年７月１４日に中国国家知的産権局（ＳＩＰＯ）へ提出した、出願番号がそれぞれ第２０１７１０５７３７８３．６号及び第２０１７２０８５３７３３．９号である中国特許出願の優先権及び利権を主張するものであり、これらの２つの中国特許出願の内容の全てが引用により本明細書に取り込まれる。
【０００２】
本願は、接眼レンズに関し、特に、ヘッドマウントディスプレイに用いられる接眼レンズに関する。例えば、ヘッドマウントディスプレイは、ＶＲ（仮想現実）ヘッドマウントディスプレイであっても良い。本願は、前記接眼レンズが設置されているディスプレイにも関する。
【背景技術】
【０００３】
近年、コンピュータ技術が迅速に発展することに伴い、仮想現実（ＶＲ）が益々成熟して完備し、専門分野及び消費分野での応用も日々増加している。ＶＲ接眼レンズは、ヘッドマウントディスプレイの核心的な光学素子として、デバイスの応用及び体験の効果に直接に影響を与えるので、接眼レンズに対して非常に高い結像品質及び外観品質が求められている。
【０００４】
従来技術におけるヘッドマウント接眼レンズシステム及びヘッドマウントディスプレイは、比較的大きな視角が得られると同時に、収差を補正することができるので、大きな視角での鑑賞体験を確保することができる。しかしながら、より高い市場ニーズに対応するために、従来技術における接眼レンズシステムの小型化及び高画質化の点においてさらに進められる余地がある。
【発明の概要】
【発明が解決しようとする課題】
【０００５】
本願は、システムの球面収差及び色収差を効率的に補正することによって、結像品質を高めると同時に、ＶＲ接眼レンズの小型化及び薄型化の要求を満たすことが可能な小型接眼レンズを提供することを目的とする。
【課題を解決するための手段】
【０００６】
本願の１つの局面は、人の眼の側に対応する第一の表面と、前記第一の表面に対向する第二の表面とを有するレンズを含む、接眼レンズを提供する。なお、前記第一の表面は、フレネル構造の面であり、前記第二の表面は、非球面曲面であり、当該フレネル構造の面は、順に配列する複数の輪帯を含むことにより、鋸歯の表面を形成し、当該接眼レンズの焦点距離は、３５ｍｍ＜ＥＦＬ＜４５ｍｍを満たすことができる。
【０００７】
本願のもう１つの局面は、人の眼の側に対応する第一の表面と、前記第一の表面に対向する第二の表面とを有するレンズを含む、接眼レンズ人の眼を提供する。なお、前記第一の表面は、フレネル構造の面であり、前記フレネル構造の面は、順に配列する複数の輪帯を含むことにより、鋸歯の表面を形成し、前記複数の輪帯のそれぞれは、何れも動作面及び非動作面からなり、前記レンズの中心の厚さＣＴと前記レンズの有効径ＤＹは、０．０８＜ＣＴ／ＤＹ＜０．４を満たす。
【０００８】
本願の実施形態により、レンズの有効焦点距離は、３５ｍｍ＜ＥＦＬ＜４５ｍｍを満たすことができ、例えば、３７．０７≦ＥＦＬ≦４５を満たす。
【０００９】
本願の実施形態により、レンズの中心厚さＣＴとレンズの有効径ＤＹは、０．０８＜ＣＴ／ＤＹ＜０．４を満たすことができ、例えば、０．２８≦ＣＴ／ＤＹ≦０．３４を満たす。
【００１０】
本願の実施形態により、レンズの第一の表面のフレネル構造の面において、近軸から縁に向かうｉ番目の輪帯の幅Ｚｉは、０．０８ｍｍ≦ｚｉ≦３．５ｍｍを満たすことができ、例えば、０．５ｍｍ≦ｚｉ≦１ｍｍを満たし、当該ｉ番目の輪帯の深さｄｉは、０ｍｍ＜ｄｉ≦０．５ｍｍを満たすことができ、例えば、０．００２ｍｍ＜ｄｉ≦０．４９ｍｍを満たす。
【００１１】
本願の実施形態により、人の眼から画面の中心までの光軸方向をプラスと定義する場合、第一の表面と光軸との交点と、第一の表面の有効半径のエンドとの間において、光軸における距離ＳＡＧ１とレンズの有効径ＤＹは、−０．２８≦ＳＡＧ１／ＤＹ≦０を満たすことができ、例えば、−０．０９≦ＳＡＧ１／ＤＹ≦−０．０６を満たす。
【００１２】
本願の実施形態により、人の眼から画面の中心までの光軸方向をプラスと定義する場合、第二の表面と光軸の交点と、第二の表面の有効半径のエンドとの間において、光軸における距離ＳＡＧ２とレンズの有効径ＤＹは、−０．４≦ＳＡＧ２／ＤＹ≦−０．２を満たすことができ、例えば、−０．３５≦ＳＡＧ２／ＤＹ≦−０．３３を満たす。
【００１３】
本願の実施形態により、レンズの第一の表面のフレネル構造の面における複数の輪帯は、１つの基底面に配列しており、当該基底面は、凹面である。
【００１４】
本願の実施形態により、複数の輪帯が位置する基底面の曲率半径Ｒ１とレンズの有効焦点距離ＥＦＬは、−２．９＜Ｒ１／ＥＦＬ＜−０．４を満たすことができ、例えば、−２．４６≦Ｒ１／ＥＦＬ≦−１．６６を満たす。
【００１５】
本願の実施形態により、各輪帯は、動作面及び非動作面を含むことができる。
【００１６】
本願の実施形態により、第二の表面は、非球面曲面である。
【００１７】
本願のもう１つの局面は、前記接眼レンズが設置されていることができるディスプレイを更に提供する。
【００１８】
本願のもう１つの局面は、前記接眼レンズが設置されていることができるヘッドマウントＶＲディスプレイを更に提供する。
【発明の効果】
【００１９】
本発明は、１つのレンズからなる接眼レンズを提供し、レンズは、凹面のフレネル面を有して、システムの収差を有効的に補正すると同時に、眼球の回転に起因するズレの要素の影響を減らすことができる。よって、接眼レンズの結像効果を有効的に高めることができる。
【００２０】
本願の実施形態の上述特徴及び他の特徴をより分かりやすくするために、以下の図面を参照して詳しく説明する。なお、図面は、本願の例示する実施形態に過ぎず、本発明を制限するものではない。
【図面の簡単な説明】
【００２１】
【図１】本発明の第１実施形態に係る接眼レンズの模式構造図である。
【図２】第１実施形態におけるフレネル構造の面の部分拡大図である。
【図３】本発明の第２実施形態に係る接眼レンズの模式構造図である。
【図４】本発明の第３実施形態に係る接眼レンズの模式構造図である。
【発明を実施するための形態】
【００２２】
本願をより良く理解するために、図面を参照して本願の各局面をより詳しく説明する。なお、これらの詳しい説明は、本願の例示する実施形態に関する説明に過ぎず、如何なる形で本願の範囲を制限するものではない。明細書の全文における同一の図面符号で、同一の部材を示し、「及び／又は」という表現は、関連する列挙項目の中の１つ又は複数の任意及び全部の組み合わせを含むことが理解されたい。
【００２３】
図面において、分かりやすく説明するために、レンズの厚さ、寸法及び形状を少し誇張したが、各部材の寸法が図面に制限されず、一定の範囲内に適切に調整することができることが理解されたい。具体的に、図面における球面又は非球面の形状は、例示する方法で示されているものであり、即ち、球面又は非球面の形状は、図面で示されている球面又は非球面の形状に限定されるものではない。なお、図面は、例示するものであり、厳格に比例に従って描いたものではない。
【００２４】
また、近軸領域とは、光軸の付近にある領域を意味する。
【００２５】
また、「備える」、「備えている」、「有する」、「含む」及び／又は「含んでいる」という表現とは、本明細書において用いられている場合、挙げられた特徴、全体、素子及び／又は部材が存在していることを意味するが、１つ又は複数の他の特徴、全体、素子、部材及び／又はこれらの組み合わせが存在し、又は、追加されることを排除しないことも理解されたい。なお、「・・・のうちの少なくとも１つ」のような表現が、挙げられた特徴のリストの後ろに現れたとき、挙げられた特徴の全てに係り、挙げられた特徴のリストの中の単独の特徴に係るのではない。また、本願の実施形態を説明する時に、「できる／しても良い」を用いて「本願の１つ又は複数の実施形態」を表現する。また、「例示する」という用語は、例示する又は例を挙げて説明するという意味を表す。
【００２６】
特に限定する場合を除き、本文に用いられている全ての用語（技術用語及び科学用語を含む）は、本発明が属する分野の当業者による通常の理解と同じ意味である。また、用語（例えば、よく使われている辞典に定義されている用語である）は、関連技術の上下文脈における意味と同じ意味を持つと解釈すべきであり、本文において明確に限定する場合を除き、理想化又は正式過ぎる意味で解釈しないことが理解されたい。
【００２７】
なお、衝突しない限り、本願の実施形態及び実施形態の特徴が組み合わせられても良い。以下、図面を参照しながら、実施形態を用いて本願を詳しく説明する。
【００２８】
本願の例示する実施形態の接眼レンズは、対向する第１の表面及び第２の表面を含むレンズを備え、第１の表面は、人の眼の側に対応する表面であり、第２の表面は、表示素子の側に対応する表面である。
【００２９】
例示する実施形態においては、レンズの第１の表面は、フレネル構造の面であり、第２の表面は、非球面曲面である。当該フレネル構造の面は、順に配列する複数の輪帯を含むことにより、鋸歯の表面を形成し、各輪帯は、何れも動作面及び非動作面を含んでも良い。
【００３０】
例示する実施形態においては、レンズの第一の表面のフレネル構造の面における複数の輪帯は、１つの基底面に配列しており、当該基底面は、凹面である。
【００３１】
例示する実施形態においては、レンズの有効焦点距離は、３５ｍｍ＜ＥＦＬ＜４５ｍｍを満たすことができ、より具体的には、３７．０７≦ＥＦＬ≦４５を更に満たすことができる。当該条件を満たす接眼レンズシステムは、比較的良い没入感を実現することができる。
【００３２】
例示する実施形態においては、複数の輪帯が位置する基底面の曲率半径Ｒ１とレンズの有効焦点距離ＥＦＬは、−２．９＜Ｒ１／ＥＦＬ＜−０．４を満たすことができ、より具体的には、−２．４６≦Ｒ１／ＥＦＬ≦−１．６６を更に満たすことができる。
【００３３】
例示する実施形態においては、レンズの中心厚さＣＴとレンズの有効径ＤＹは、０．０８＜ＣＴ／ＤＹ＜０．４を満たすことができ、より具体的には、０．２８≦ＣＴ／ＤＹ≦０．３４を更に満たすことができる。当該条件を満たす接眼レンズシステムは、比較的良い没入感を実現することができる。
【００３４】
例示する実施形態においては、レンズの第一の表面のフレネル構造の面において、近軸から縁に向かうｉ番目の輪帯の幅Ｚｉは、０．０８ｍｍ≦ｚｉ≦３．５ｍｍを満たすことができ、より具体的には、０．５ｍｍ≦ｚｉ≦１ｍｍを更に満たすことができる。当該ｉ番目の輪帯の深さｄｉは、０ｍｍ＜ｄｉ≦０．５ｍｍを満たすことができ、より具体的には、０．００２ｍｍ＜ｄｉ≦０．４９ｍｍを更に満たすことができる。このような配置により、光学システムの球面収差をよく補正し、人の眼で仮想画面を見る時の格子感を減少することができる。
【００３５】
例示する実施形態においては、人の眼から画面の中心までの光軸方向をプラスと定義する場合、第一の表面と光軸との交点と、第一の表面の有効半径のエンドとの間において、光軸における距離ＳＡＧ１とレンズの有効径ＤＹは、−０．２８≦ＳＡＧ１／ＤＹ≦０を満たすことができ、より具体的には、−０．０９≦ＳＡＧ１／ＤＹ≦−０．０６を更に満たすことができる。このような配置により、眼球の回転による光学の像面湾曲の収差を減らし、接眼レンズの結像品質を高めることができる。
【００３６】
例示する実施形態においては、人の眼から画面の中心までの光軸方向をプラスと定義する場合、第二の表面と光軸の交点と、第二の表面の有効半径のエンドとの間において、光軸における距離ＳＡＧ２とレンズの有効径ＤＹは、−０．４≦ＳＡＧ２／ＤＹ≦−０．２を満たすことができ、より具体的には、−０．３５≦ＳＡＧ２／ＤＹ≦−０．３３を更に満たすことができる。このような配置により、光学システムの球面収差を補正し、結像品質を高めることができる。
【００３７】
以下、図１〜図４を参照しながら、具体的な実施形態を用いて本願の特徴、原理及び他の点を詳しく説明する。
【００３８】
（第１実施形態）
本願の第１実施形態は、接眼レンズを提供する。図１に示すように、本願の第１実施形態の接眼レンズには、レンズＬ１及び感光素子が設置されている。
【００３９】
図１に示すように、人の眼ＥＹＥの瞳孔の中心がＥＶであり、目玉の回転中心がＣＥＲであり、目玉の回転中心ＣＥＲと瞳孔の中心ＥＶとの、光軸における距離がＥＲであり、人間の瞳孔の中心ＥＶから第一の表面Ｓ１までの光軸における距離がＥＤである。
【００４０】
レンズＬ１は、対向する第１の表面Ｓ１及び第２の表面Ｓ２を含んでも良く、第１の表面Ｓ１は、人の眼の側に対応する表面であり、第２の表面Ｓ２は、表示素子の側に対応する表面である。また、レンズＬ１の第１の表面Ｓ１は、フレネル構造の面であり、第２の表面は、非球面曲面である。
【００４１】
当該フレネル構造の面は、順に配列する複数の輪帯Ｃｉ（ｉは、自然数である）を含むことにより、鋸歯の表面を形成することができる。図２は、当該フレネル構造の面の鋸歯状の表面を詳しく示している。図２に示すように、近軸から縁に向かうｉ番目の輪帯とｉ＋１番目の輪帯の間は、垂直間隔Ｚｉを有し、各々の２つの隣接する輪帯の間の垂直間隔は、全て同じである。当該実施形態においては、Ｚｉ＝１．００ｍｍを満たす。レンズＬ１の第１の表面Ｓ１のフレネル構造の面における輪帯Ｃｉは、基底面Ｓ１’に配列しており、当該基底面Ｓ１’は、凹面である。その近軸の場所から縁に向かうｉ番目の輪帯の深さは、ｄｉであり、０．０１ｍｍ≦ｄｉ≦０．４９ｍｍを満たすことができる。
【００４２】
各輪帯Ｃｉは、動作面Ｓａ及び非動作面Ｓｂを含んでも良い。動作面Ｓａは、次の条件式（１）を満たすことができる。
【数１】
2019526819.tif 000003
【００４３】
ここで、ｈは、動作面Ｓａにおける任意点から光軸までの高さであり、ｃは、頂点の曲率であり、ｋは、円錐定数であり、Ａｉは、非球面のｉ−ｔｈ次の補正係数である。
【００４４】
当該第１実施形態においては、レンズの有効焦点距離ＥＦＬは、ＥＦＬ＝３７．０７ｍｍを満たす。
【００４５】
当該第１実施形態においては、複数の輪帯が位置する基底面の曲率半径Ｒ１とレンズの有効焦点距離ＥＦＬは、Ｒ１／ＥＦＬ＝−２．１９を満たす。
【００４６】
当該第１実施形態においては、レンズの第１の表面Ｓ１と光軸の交点と、第１の表面Ｓ１の有効半径のエンドとの間において、光軸における距離ＳＡＧ１とレンズの有効径ＤＹは、ＳＡＧ１／ＤＹ＝−０．０９を満たす。
【００４７】
当該第１実施形態においては、レンズの第２の表面Ｓ２と光軸の交点と、第２の表面Ｓ２の有効半径のエンドとの間において、光軸における距離ＳＡＧ２とレンズの有効径ＤＹは、ＳＡＧ２／ＤＹ＝−０．３３を満たす。
【００４８】
当該第１実施形態においては、レンズの中心の厚さＣＴとレンズの有効径ＤＹは、ＣＴ／ＤＹ＝０．２８を満たす。
【００４９】
上述したように、第１実施形態の接眼レンズは、ＶＲ接眼レンズの小型化及び薄型化を実現するとともに、比較的良い結像効果を得ることができる。
【００５０】
（第２実施形態）
以下、図３を参照しながら、本願の接眼レンズの第２実施形態を説明する。この第２実施形態及び以下の各実施形態に記載の接眼レンズは、第１実施形態に記載の接眼レンズと配置構造が同じである。なお、説明を簡略するために、第１実施形態に類似する内容を省略する。
【００５１】
図３は、本発明の第２実施形態に係る接眼レンズの構造模式図である。図３に示すように、第２実施形態の接眼レンズは、レンズＬ１及び感光素子を含む。
【００５２】
当該第２実施形態においては、フレネル構造の面における近軸から縁に向かうｉ番目の輪帯とｉ＋１番目の輪帯の間の垂直間隔Ｚｉは、例えば、０．５ｍｍである。フレネル構造の面における近軸から縁に向かうｉ番目の輪帯の深さｄｉは、０．００２ｍｍ≦ｄｉ≦０．０５ｍｍを満たすことができる。
【００５３】
当該第２実施形態においては、レンズの有効焦点距離ＥＦＬは、ＥＦＬ＝４５ｍｍを満たす。
【００５４】
当該第２実施形態においては、複数の輪帯が位置する基底面の曲率半径Ｒ１とレンズの有効焦点距離ＥＦＬは、Ｒ１／ＥＦＬ＝−１．６６を満たす。
【００５５】
当該第２実施形態においては、レンズの第１の表面Ｓ１と光軸の交点と、第１の表面Ｓ１の有効半径のエンドとの間において、光軸における距離ＳＡＧ１とレンズの有効径ＤＹは、ＳＡＧ１／ＤＹ＝−０．０７を満たす。
【００５６】
当該第２実施形態においては、レンズの第２の表面Ｓ２と光軸の交点と、第２の表面Ｓ２の有効半径のエンドとの間において、光軸における距離ＳＡＧ２とレンズの有効径ＤＹは、ＳＡＧ２／ＤＹ＝−０．３４を満たす。
【００５７】
当該第２実施形態においては、レンズの中心の厚さＣＴとレンズの有効径ＤＹは、ＣＴ／ＤＹ＝０．３２を満たす。
【００５８】
上述したように、第２実施形態の接眼レンズは、ＶＲ接眼レンズの小型化及び薄型化を実現するとともに、比較的良い結像効果を得ることができる。
【００５９】
（第３実施形態）
以下、図４を参照しながら、本願の接眼レンズの第３実施形態を説明する。図４は、本発明の第３実施形態に係る接眼レンズの模式構造図である。図４に示すように、第３実施形態の接眼レンズは、レンズＬ１及び感光素子を含む。
【００６０】
当該第３実施形態においては、フレネル構造の面における近軸から縁に向かうｉ番目の輪帯とｉ＋１番目の輪帯の間の垂直間隔Ｚｉは、例えば、１．００ｍｍである。フレネル構造の面における近軸から縁に向かうｉ番目の輪帯の深さｄｉは、０．０２ｍｍ≦ｄｉ≦０．１３ｍｍを満たすことができる。
【００６１】
当該第３実施形態においては、レンズの有効焦点距離は、ＥＦＬ＝４０ｍｍを満たす。
【００６２】
当該第３実施形態においては、複数の輪帯が位置する基底面の曲率半径Ｒ１とレンズの有効焦点距離ＥＦＬは、Ｒ１／ＥＦＬ＝−２．４６を満たす。
【００６３】
当該第３実施形態においては、レンズの第１の表面Ｓ１と光軸の交点と、第１の表面Ｓ１の有効半径のエンドとの間において、光軸における距離ＳＡＧ１とレンズの有効径ＤＹは、ＳＡＧ１／ＤＹ＝−０．０６を満たす。
【００６４】
当該第３実施形態においては、レンズの第２の表面Ｓ２と光軸の交点と、第２の表面Ｓ２の有効半径のエンドとの間において、光軸における距離ＳＡＧ２とレンズの有効径ＤＹは、ＳＡＧ２／ＤＹ＝−０．３５を満たす。
【００６５】
当該第３実施形態においては、レンズの中心の厚さＣＴとレンズの有効径ＤＹは、ＣＴ／ＤＹ＝０．３４を満たす。
【００６６】
上述したように、第３実施形態の接眼レンズは、ＶＲ接眼レンズの小型化及び薄型化を実現するとともに、比較的良い結像効果を得ることができる。
【００６７】
下の表１は、第１実施形態〜第３実施形態におけるレンズの各パラメータ間の相互関係を示している。
【表１】
2019526819.tif 000004
【００６８】
本願は、ディスプレイを更に提供する。ディスプレイは、仮想現実のディスプレイのようなシステムであっても良い。当該ディスプレイには、上述した各実施形態に記載の接眼レンズが設置されていることができる。
【００６９】
上述したように、図面を参照しながら、本願の例示する実施形態を説明した。当業者は、上述した実施形態が説明のために列挙した例に過ぎず、本願の特許請求の範囲を制限するものではないと理解すべきである。また、本願の教示及び特許請求の範囲内に行われたいかなる補正、等価変換等は、何れも本願の特許請求の範囲に含まれている。
【符号の説明】
【００７０】
ＥＶ  瞳孔の中心
Ｓ１  第１の表面
Ｓ２  第２の表面
Ｌ１  レンズ
ＣＥＲ  目玉の回転中心
【図１】
2019526819.tif 000005
【図２】
2019526819.tif 000006
【図３】
2019526819.tif 000007
【図４】
2019526819.tif 000008
【国際調査報告】
2019526819.tif 000009
2019526819.tif 000010
2019526819.tif 000011
2019526819.tif 000012